【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
液保持性の吸収体を有する縦長の吸収性本体と、該吸収性本体の非肌対向面側に配された外装体とを備え、外装体は、着用者の腹側に配される腹側外装体と、背側に配される背側外装体と、それらの間に位置する股下領域に配される股下外装体とに別部材として区分されており、該腹側外装体の両側縁部と該背側外装体の両側縁部とが接合されて一対のサイドシール部、ウエスト開口部及び一対のレッグ開口部が形成されている成人用パンツ型吸収性物品であって、
前記パンツ型吸収性物品を展開させかつ伸長させた状態において、前記背側外装体は、該パンツ型吸収性物品の中心と各サイドシール部の幅方向外縁の下端とを結ぶ仮想直線を引いたとき、該背側外装体の股下領域側の輪郭と２つの交点で交差しており、
前記２つの交点間の前記背側外装体の輪郭と前記仮想直線とで囲まれた延出部分が股下領域側に突出しており、
前記延出部分は、その面積が、前記２つの交点の内の前記サイドシール部側の交点よりも外方に位置する前記背側外装体の輪郭と前記仮想直線とで囲まれた第１部分の面積よりも大きく、前記２つの交点の内の前記中心側の交点よりも内方に位置する前記背側外装体の輪郭と前記仮想直線と前記パンツ型吸収性物品の中心を通る該パンツ型吸収性物品の長手方向に延びる縦中心線とで囲まれた第２部分の面積よりも大きく、
前記背側外装体における前記レッグ開口部の近傍が伸縮性を有している成人用パンツ型吸収性物品。
【請求項２】
前記２つの交点の内の前記中心側の交点である第一点、該第一点から前記縦中心線への垂線と該縦中心線との交点である第二点、前記仮想直線と前記縦中心線との交点である第三点を有し、
前記第一点、前記第二点及び前記第三点で囲まれた三角形に着目して、
前記背側外装体の輪郭で形成される辺の長さが、前記縦中心線で形成される辺の長さよりも長い請求項１に記載の成人用パンツ型吸収性物品。
【請求項３】
前記２つの交点の内の前記サイドシール部側の交点は、前記成人用パンツ型吸収性物品の中心から前記サイドシール部までの幅を三等分した仮想の３領域を形成した際に、最も該サイドシール部側の領域よりも内側に位置する請求項１又は２に記載の成人用パンツ型吸収性物品。
【請求項４】
前記サイドシール部の長手方向の下端は、成人用パンツ型吸収性物品を着用した際に、着用者の転子点よりも下方に位置する請求項１〜３の何れか１項に記載の成人用パンツ型吸収性物品。
【請求項５】
前記縦中心線における、前記成人用パンツ型吸収性物品の中心と前記背側外装体の輪郭との間隔が、該中心と前記腹側外装体の輪郭との間隔よりも短い請求項１〜４の何れか１項に記載の成人用パンツ型吸収性物品。
【請求項６】
前記背側外装体は、少なくとも前記成人用パンツ型吸収性物品の幅方向に伸縮性を有しており、該伸縮性が前記背側外装体における前記レッグ開口部の近傍まで及んでいる請求項１〜５の何れか１項に記載の成人用パンツ型吸収性物品。
【請求項７】
前記背側外装体は、前記成人用パンツ型吸収性物品の外面を形成する外層シートと、該外層シートの内面側に配され、該パンツ型吸収性物品の内面を形成する内層シートとを含んで構成されており、該外層シートは、伸縮性のシート材から形成されており、該シート材が前記背側外装体における前記レッグ開口部の近傍まで及んでいる請求項１〜６の何れか１項に記載の成人用パンツ型吸収性物品。
【請求項８】
前記背側外装体は、前記成人用パンツ型吸収性物品の外面を形成する外層シートと、該外層シートの内面側に配され、該成人用パンツ型吸収性物品の内面を形成する内層シートと、それらシート間に配されて固定された複数本の糸状の弾性部材とを含んで構成されており、
前記弾性部材は、前記レッグ開口部の近傍に配されるレッグ部弾性部材を有し、該レッグ部弾性部材は、前記背側外装体の股下領域側の輪郭に沿って伸長状態で配されている請求項１〜７の何れか１項に記載の成人用パンツ型吸収性物品。
【手続補正２】
【補正対象書類名】明細書
【補正対象項目名】０００８
【補正方法】変更
【補正の内容】
【０００８】
本発明は、液保持性の吸収体を有する縦長の吸収性本体と、該吸収性本体の非肌対向面側に配された外装体とを備え、外装体は、着用者の腹側に配される腹側外装体と、背側に配される背側外装体と、それらの間に位置する股下領域に配される股下外装体とに別部材として区分されており、該腹側外装体の両側縁部と該背側外装体の両側縁部とが接合されて一対のサイドシール部、ウエスト開口部及び一対のレッグ開口部が形成されているパンツ型吸収性物品であって、前記パンツ型吸収性物品を展開させかつ伸長させた状態において、前記背側外装体は、該パンツ型吸収性物品の中心と各サイドシール部の幅方向外縁の下端とを結ぶ仮想直線を引いたとき、該背側外装体の股下領域側の輪郭と２つの交点で交差しており、前記２つの交点間の前記背側外装体の輪郭と前記仮想直線とで囲まれた延出部分が股下領域側に突出しており、前記延出部分は、その面積が、前記２つの交点の内の前記サイドシール部側の交点よりも外方に位置する前記背側外装体の輪郭と前記仮想直線とで囲まれた第１部分の面積よりも大きく、前記２つの交点の内の前記中心側の交点よりも内方に位置する前記背側外装体の輪郭と前記仮想直線と前記パンツ型吸収性物品の中心を通る該パンツ型吸収性物品の長手方向に延びる縦中心線とで囲まれた第２部分の面積よりも大きく、前記背側外装体における前記レッグ開口部の近傍が伸縮性を有している成人用パンツ型吸収性物品を提供するものである。
【手続補正３】
【補正対象書類名】明細書
【補正対象項目名】００１５
【補正方法】変更
【補正の内容】
【００１５】
おむつ１Ａは、図２（ａ）に示す展開させかつ伸長させた状態において、その長手方向（Ｘ方向）に、着用時に着用者の腹側に配される腹側領域Ａ、着用時に着用者の背側に配される背側領域Ｂ、腹側領域Ａと背側領域Ｂとの間に位置する股下領域Ｃとに区分される。そして、外装体３は、腹側領域Ａに位置する腹側外装体３Ａと、背側領域Ｂに位置する背側外装体３Ｂと、それら（腹側外装体３Ａ，背側外装体３Ｂ）の間に位置する股下領域Ｃに位置する股下外装体３Ｃとに別部材で構成されており、腹側外装体３Ａ、背側外装体３Ｂ及び股下外装体３Ｃとして区分されている。外装体３は、股下外装体３Ｃの長手方向（Ｘ方向）の両端部それぞれに、腹側外装体３Ａ及び背側外装体３Ｂそれぞれが接合されて一体に形成されている。本実施例のおむつ１Ａにおいては、股下外装体３Ｃの長手方向（Ｘ方向）の両端部と、腹側外装体３Ａ及び背側外装体３Ｂの長手方向（Ｘ方向）の股下側端部が、重複するように接合されている。このような実施形態のおむつにおいては、腹側外装体３Ａの輪郭と股下外装体３Ｃの輪郭とが交差する点を点イとし、背側外装体３Ｂの輪郭と股下外装体３Ｃの輪郭とが交差する点を点ロとした場合に、点イと点ロとの間が股下領域Ｃとなり、点イより腹側に位置する長手方向領域が腹側領域Ａとなり、点ロより背側に位置する長手方向領域が背側領域Ｂとなる。尚、股下外装体３Ｃと、腹側外装体３Ａ及び背側外装体３Ｂとの重複は、重なっていればよく、何れが外側に位置し、何れが内側に位置していてもよい。
【手続補正４】
【補正対象書類名】明細書
【補正対象項目名】００１６
【補正方法】変更
【補正の内容】
【００１６】
一体に形成された外装体３は、図２（ａ）に示すように、その長手方向（Ｘ方向）に沿う両側縁が、長手方向（Ｘ方向）中央部において内方に括れた形状をしており、おむつの外面を形成する。このように、腹側外装体３Ａは、腹側外装体３Ａにおける長手方向（Ｘ方向）の股下領域Ｃ側の端部の幅中央部分が、背側外装体３Ｂに向かって凸の形状となるように、該股下領域Ｃ側の端部の輪郭３ＡＬが湾曲して形成されている。そして、腹側外装体３Ａの前記幅中央部分から側縁部３ａ１（サイドシール部４）の股下領域Ｃ側の端部に向かって、腹側外装体３Ａの股下領域Ｃ側の端部の輪郭３ＡＬが、Ｓ字状に湾曲して形成されている。同様に、背側外装体３Ｂは、背側外装体３Ｂにおける長手方向（Ｘ方向）の股下領域Ｃ側の端部の幅中央部分が、腹側外装体３Ａに向かって凸の形状となるように、該股下領域Ｃ側の端部の輪郭３ＢＬが湾曲して形成されている。そして、背側外装体３Ｂの前記幅中央部分から側縁部３ｂ１（サイドシール部４）の股下領域Ｃ側の端部に向かって、背側外装体３Ｂの股下領域Ｃ側の端部の輪郭３ＢＬが、Ｓ字状に湾曲して形成されている。
【手続補正５】
【補正対象書類名】明細書
【補正対象項目名】００２１
【補正方法】変更
【補正の内容】
【００２１】
外層シート３１に用いる伸縮性のシート材としては、各種公知のものを用いることができ、例えば、特開２００８−１７９１２８号公報に記載の伸縮シート、特開２００７−２２０６６号公報に記載の伸縮性シート、特開２００７−２２０６６号公報に記載の伸縮性不織布の製造方法により製造される伸縮性不織布、特許３０５４９３０号公報に記載の伸縮シート等を用いることもできる。
【手続補正６】
【補正対象書類名】明細書
【補正対象項目名】００４６
【補正方法】変更
【補正の内容】
【００４６】
また、第２実施形態のおむつ１Ｂは、図５に示すように、仮想直線ＩＬと背側外装体３Ｂの輪郭３ＢＬとの２つの交点Ｐ１，Ｐ２の内のサイドシール部４側の交点Ｐ１は、おむつ１Ｂの中心ｇからサイドシール部４までの幅を三等分した仮想の３領域Ｔ１，Ｔ２，Ｔ３を形成した際に、最もサイドシール部４側の領域Ｔ１内部に位置している。
【手続補正７】
【補正対象書類名】明細書
【補正対象項目名】００５５
【補正方法】変更
【補正の内容】
【００５５】
＜１＞
液保持性の吸収体を有する縦長の吸収性本体と、該吸収性本体の非肌対向面側に配された外装体とを備え、外装体は、着用者の腹側に配される腹側外装体と、背側に配される背側外装体と、それらの間に位置する股下領域に配される股下外装体とに別部材として区分されており、該腹側外装体の両側縁部と該背側外装体の両側縁部とが接合されて一対のサイドシール部、ウエスト開口部及び一対のレッグ開口部が形成されている成人用パンツ型吸収性物品であって、
前記パンツ型吸収性物品を展開させかつ伸長させた状態において、前記背側外装体は、該パンツ型吸収性物品の中心と各サイドシール部の幅方向外縁の下端とを結ぶ仮想直線を引いたとき、該背側外装体の股下領域側の輪郭と２つの交点で交差しており、
前記２つの交点間の前記背側外装体の輪郭と前記仮想直線とで囲まれた延出部分が股下領域側に突出しており、
前記延出部分は、その面積が、前記２つの交点の内の前記サイドシール部側の交点よりも外方に位置する前記背側外装体の輪郭と前記仮想直線とで囲まれた第１部分の面積よりも大きく、前記２つの交点の内の前記中心側の交点よりも内方に位置する前記背側外装体の輪郭と前記仮想直線と前記パンツ型吸収性物品の中心を通る該パンツ型吸収性物品の長手方向に延びる縦中心線とで囲まれた第２部分の面積よりも大きく、
前記背側外装体における前記レッグ開口部の近傍が伸縮性を有している成人用パンツ型吸収性物品。
【手続補正８】
【補正対象書類名】明細書
【補正対象項目名】００５７
【補正方法】変更
【補正の内容】
【００５７】
＜１２＞
前記背側外装体は、少なくとも前記成人用パンツ型吸収性物品の幅方向に伸縮性を有しており、該伸縮性が前記背側外装体における前記レッグ開口部の近傍まで及んでいる前記＜１＞〜＜１１＞の何れか１に記載の成人用パンツ型吸収性物品。
＜１３＞
少なくとも背側外装体は、前記成人用パンツ型吸収性物品の外面を形成する外層シートと、該外層シートの内面側に配され、該成人用パンツ型吸収性物品の内面を形成する内層シートとを含んで構成されており、該外層シートは、伸縮性のシート材から形成されており、該シート材が前記背側外装体における前記レッグ開口部の近傍まで及んでいる前記＜１＞〜＜１２＞の何れか１に記載の成人用パンツ型吸収性物品。
＜１４＞
前記股下外装体は、前記吸収性本体の一部の外面を形成しており、かつ非伸長性のシート材で形成されている前記＜１＞〜＜１３＞の何れか１に記載の成人用パンツ型吸収性物品。
＜１５＞
前記背側外装体は、前記成人用パンツ型吸収性物品の外面を形成する外層シートと、該外層シートの内面側に配され、該成人用パンツ型吸収性物品の内面を形成する内層シートと、それらシート間に配されて固定された複数本の糸状の弾性部材とを含んで構成されており、
前記弾性部材は、前記レッグ開口部の近傍に配されるレッグ部弾性部材を有し、該レッグ部弾性部材は、前記背側外装体の股下領域側の輪郭に沿って伸長状態で配されている前記＜１＞〜＜１４＞の何れか１に記載の成人用パンツ型吸収性物品。
＜１６＞
レッグ弾性領域（レッグギャザー）が、前記レッグ部弾性部材を前記股下領域側の端部の幅中央部分（縦中心線ＣＬ１を含む部位）でカットすることにより形成されている前記＜１５＞に記載の成人用パンツ型吸収性物品。
＜１７＞
前記外装体は、長手方向（Ｘ方向）に沿う両側縁が、長手方向（Ｘ方向）中央部において内方に括れた形状をしており、
前記背側外装体は、該背側外装体における長手方向（Ｘ方向）の股下領域側の端部の幅中央部分が、前記腹側外装体に向かって凸の形状となるように、該股下領域側の端部の輪郭が湾曲して形成されている前記＜１＞〜＜１６＞の何れか１に記載の成人用パンツ型吸収性物品。
＜１８＞
前記腹側外装体は、該腹側外装体における長手方向（Ｘ方向）の股下領域側の端部の幅中央部分が、前記背側外装体に向かって凸の形状となるように、該股下領域側の端部の輪郭が湾曲して形成されている前記＜１＞〜＜１７＞の何れか１に記載の成人用パンツ型吸収性物品。
＜１９＞
少なくとも前記背側外装体において、前記幅中央部分から側縁部（サイドシール部）の股下領域の端部に向かって、該外装体の股下領域側の端部の輪郭が、Ｓ字状に湾曲して形成されている前記＜１＞〜＜１８＞の何れか１に記載の成人用パンツ型吸収性物品。